(57)【特許請求の範囲】
【請求項１】
上面が着座面となる上板部と便器のリム上に載置される下板部とで便座を構成し、便座の下方に面する被押圧部が押圧されることでＯＮとなるスイッチを便座に設け、上方に開口する略箱状をしたゴムからなる弾性部材を前記スイッチを覆うように便座の下板部に形成された挿通孔に係止して取り付け、スイッチの下板部上へ露出する端子を覆って絶縁を行い且つ弾性部材の挿通孔への係止を接着により固定するための絶縁性接着剤を塗布し、弾性部材の前記スイッチの被押圧部に対応する部分を該弾性部材の弾性変形により被押圧部を押圧する押圧部とし、前記押圧部は、便座を便器のリム上に載置し弾性部材に便座の自重のみが掛かった時には被押圧部を押圧せずスイッチはＯＦＦであり、便座に使用者が着座した時に被押圧部を押圧してスイッチをＯＮにすることを特徴とする便座装置。
【請求項２】
下板部のスイッチに対応する位置に該スイッチを挿通させて配置する挿通口を設け、下板部の挿通口の周囲の下面から略筒状をした防水シート保持リブを下方に突設し、防水シート保持リブ内に防水シートを装着して成ることを特徴とする請求項１載の便座装置。
【発明の詳細な説明】
【技術分野】
【０００１】
本発明は、自動洗浄機能等を備えた便器装置に設ける便座装置に関するものである。
【背景技術】
【０００２】
従来より、自動洗浄機能等を備えた便器装置が知られている（例えば特許文献１参照）。
【０００３】
このような便器装置には、使用者の着座を検知する着座検知手段が設けてあり、着座を検知した時に、便座等の暖房を開始したり、あるいは脱臭を開始したり、あるいは離座を検知した時に、暖房を停止したり脱臭を停止したり、あるいは便器の自動洗浄を行ったりするものである。
【先行技術文献】
【特許文献】
【０００４】
【特許文献１】特開平７−１０９７５８号公報
【発明の概要】
【発明が解決しようとする課題】
【０００５】
ところで着座検知手段としては、赤外線センサーを設けたものがよく用いられているが、掃除等している場合に、着座していなくても便座の上面近辺に身体が位置していると誤検知してしまうことがあった。
【０００６】
本発明は上記従来の問題点に鑑みて発明したものであって、その目的とするところは、着座検知手段として赤外線センサーを用いず、便座への着座を確実に検知することができる便座装置を提供することを課題とするものである。
【課題を解決するための手段】
【０００７】
上記課題を解決するために請求項１に係る便座装置にあっては、上面が着座面となる上板部１ａと便器のリム上に載置される下板部１ｂとで便座１を構成し、便座１の下方に面する被押圧部２１が押圧されることでＯＮとなるスイッチ２を便座１に設け、上方に開口する略箱状をしたゴムからなる弾性部材３を前記スイッチ２を覆うように便座１の下板部１ｂに形成された挿通孔１６に係止して取り付け、スイッチ２の下板部１ｂ上へ露出する端子２２を覆って絶縁を行い且つ弾性部材３の挿通孔１６への係止を接着により固定するための絶縁性接着剤を塗布し、弾性部材３の前記スイッチ２の被押圧部２１に対応する部分を該弾性部材３の弾性変形により被押圧部２１を押圧する押圧部３１とし、前記押圧部３１は、便座１を便器のリム上に載置し弾性部材３に便座１の自重のみが掛かった時には被押圧部２１を押圧せずスイッチ２はＯＦＦであり、便座１に使用者が着座した時に被押圧部２１を押圧してスイッチ２をＯＮにすることを特徴とするものである。
【０００８】
また、請求項２に係る発明は、請求項１に係る発明において、下板部１ｂのスイッチ２に対応する位置に該スイッチ２を挿通させて配置する挿通口１１を設け、下板部１ｂの挿通口１１の周囲の下面から略筒状をした防水シート保持リブ１５を下方に突設し、防水シート保持リブ１５内に防水シート４を装着して成ることを特徴とするものである。
【発明の効果】
【０００９】
本発明の便座装置にあっては、着座検知手段として赤外線センサーを用いず、便座への着座を確実に検知することができる。
【図面の簡単な説明】
【００１０】
【図１】本発明の一実施形態の要部断面図である。
【図２】同上の要部の分解斜視図である。
【図３】便座の斜視図である。
【図４】便座の下板部を示し、（ａ）は平面図であり、（ｂ）は側面図である。
【図５】便座の下板部のスイッチを設けた部分を斜め上方から見た斜視図である。
【発明を実施するための形態】
【００１１】
以下、本発明の一実施形態について添付図面に基づいて説明する。
【００１２】
便器装置は、図示しないが、便器の後部上面に設置したり便器の後部に内蔵されるもので、使用者が用を足した後に自動で洗浄を行う自動洗浄機能や、便座を暖房する暖房機能や、脱臭を行う脱臭機能や、局部洗浄を行う局部洗浄機能や、局部の温風による乾燥を行う温風乾燥機能等を適宜選択して備えている。この便器装置は、以下に説明する便座装置の着座検知手段による着座の検知により、各種動作が自動で行われるようになっている。
【００１３】
便座装置は、図２に示すように、便座１に着座検知手段としてのスイッチ２を設けて構成される。便座１は、後端部が便器のボウル部の後部上端に枢支され、前端部を上側にして起立させたり、便器のリム上に載置して倒した状態としたりするものである。本実施形態では、便座１は、上面が着座面となる上板部１ａと（図３参照）、便器のリム上に載置される下板部１ｂとからなる二枚板構造で構成している。また、便座１の上側に便蓋（図示せず）が設けてあり、この便蓋も便座１と同様に後端部が便器のボウル部の後部上端に枢支されて、起倒自在となっている。
【００１４】
スイッチ２は、図１に示すように、便座１の下方に面する被押圧部２１を備え、この被押圧部２１が上方に押圧された時にＯＮとなる。本実施形態では、下板部１ｂのスイッチ２を設ける位置に、該スイッチ２が挿通する挿通口１１を設け、該挿通口１１に上方より挿通させたスイッチ２を係止して支持するスイッチ係止部１３を設けてある。挿通口１１は、図４に示すように、便座１の前部の左右の二箇所に形成され、その周囲には図５に示すように下板部１ｂの上面から略筒状をしたリブ１４が上方に突設してあり、リブ１４に囲まれた部分の中央に挿通口１１が形成してある。そして、挿通口１１の縁から下方に向けて、略筒状をしたスイッチ保持リブ１２が突設してあり、その下端にスイッチ係止部１３が挿通口１１の内側に向けて突設してある。
【００１５】
また、下板部１ｂの挿通口１１の周囲には、図１に示すように、下面から略筒状をした防水シート保持リブ１５が下方に突設してあり、この防水シート保持リブ１５内に防水シート４が装着してあり、スイッチの下面側の防水を行っている。そして、スイッチ２及び防水シート４を下方より覆うように弾性部材３が設けられる。
【００１６】
弾性部材３は、図１、図２に示すように、上方に開口する略箱状をしたゴムからなり、スイッチ２を覆うように便座１の下面に取り付けられる。そして、弾性部材３のスイッチ２の被押圧部２１に対応する部分を、該弾性部材３の弾性変形により被押圧部２１を押圧する押圧部３１とするものである。本実施形態では、弾性部材３の上端部の一部に上方に向けて弾性部材係止部３２を突設し、便座１の下板部１ｂの前記弾性部材係止部３２に対応する位置に、該弾性部材係止部３２が挿通して下板部１ｂの上面に係止するための挿通孔１６が形成してある。挿通孔１６は、リブ１４に囲まれた部分で挿通口１１以外の箇所に形成してある。
【００１７】
そして、スイッチ２を下板部１ｂの挿通口１１に上方より挿通させてスイッチ係止部１３に係止すると共に、下板部１ｂの下方より、弾性部材係止部３２を挿通孔１６に挿通させて下板部１ｂの上面側に係止して弾性部材３を下板部１ｂに取り付けてある。
【００１８】
また、スイッチ２の下板部１ｂ上へ露出する端子２２を覆うように絶縁材を塗布して、前記端子２２の絶縁を行なっている。本実施形態では、前記端子２２を覆うと共に、弾性部材係止部３２の挿通孔１６への係止を接着により固定するための絶縁性接着剤を塗布するもので、具体的には、図５に示すようにリブ１４に囲まれる部分５にホットメルト等からなる絶縁性接着剤を充填しており、これにより、端子２２の絶縁と、弾性部材係止部３２が係止される挿通孔１６を埋めて水の浸入の防止を図ることができる。
【００１９】
便座１を便器のリム上に載置した状態で、便座１に使用者が着座せず弾性部材３に便座１の自重のみが掛かっている時には、押圧部３１が被押圧部２１を押圧せずスイッチ２はＯＦＦであり、便座１に使用者が着座した時に、押圧部３１が被押圧部２１を押圧してスイッチ２をＯＮになるように、弾性部材３の弾性力を設定してある。
【００２０】
上記のような構成とすることで、直接的に着座を検知することが可能となり、従来の赤外線センサーを設けた着座検知手段のように、掃除等の場合に身体が便座１の上面近辺に位置した時に着座が誤検知されるといったことを防止することができる。
【００２１】
また本実施形態では、リブ１４に囲まれる部分５にホットメルト等からなる絶縁性接着剤を充填しているため、スイッチ２の下板部１ｂ上へ露出する端子２２を覆って絶縁する絶縁材と、弾性部材係止部３２の挿通孔１６への係止を接着により固定する接着剤とを兼ねることができて、一工程で施工できて製造工程の削減を行っている。
【符号の説明】
【００２２】
１   便座
１ａ 上板部
１ｂ 下板部
１１ 挿通口
１２ スイッチ保持リブ
１３ スイッチ係止部
１４ リブ
１５ 防水シート保持リブ
１６ 挿通孔
２   スイッチ
２１ 被押圧部
２２ 端子
３   弾性部材
３１ 押圧部
３２ 弾性部材係止部
４   防水シート
５   リブに囲まれる部分
【図１】
0005416747.tif 000002
【図２】
0005416747.tif 000003
【図３】
0005416747.tif 000004
【図４】
0005416747.tif 000005
【図５】
0005416747.tif 000006